(57)【要約】【課題】機器において表示される画面の構成を変更するための操作の負担を軽減すること。【解決手段】情報処理装置は、ネットワークを介して接続される機器において表示される画面の構成情報を取得する取得部と、前記構成情報に基づいて、前記画面を表示する表示制御部と、前記表示制御部によって表示された画面に対する操作に応じて、前記構成情報を変更する変更部と、変更後の構成情報を、ネットワークを介して接続される１以上の機器に送信する送信部と、を有する。【選択図】図４
2016157156.tif 000002
【特許請求の範囲】
【請求項１】
ネットワークを介して接続される機器において表示される画面の構成情報を取得する取得部と、
前記構成情報に基づいて、前記画面を表示する表示制御部と、
前記表示制御部によって表示された画面に対する操作に応じて、前記構成情報を変更する変更部と、
変更後の構成情報を、ネットワークを介して接続される１以上の機器に送信する送信部と、
を有することを特徴とする情報処理装置。
【請求項２】
前記構成情報を記憶する記憶部を有し、
前記取得部は、前記記憶部から前記構成情報を取得する、
ことを特徴とする請求項１記載の情報処理装置。
【請求項３】
前記取得部は、ネットワークを介して接続される機器から前記構成情報を取得する、
ことを特徴とする請求項１記載の情報処理装置。
【請求項４】
前記送信部は、前記取得部が前記構成情報を取得した機器とは異なる機器に、前記変更後の構成情報を送信する、
ことを特徴とする請求項３記載の情報処理装置。
【請求項５】
機器と情報処理装置とを含む情報処理システムであって、
前記情報処理装置は、
前記機器から、当該機器において表示される画面の構成情報を取得する取得部と、
前記構成情報に基づいて、前記画面を表示する表示制御部と、
前記表示制御部によって表示された画面に対する操作に応じて、前記構成情報を変更する変更部と、
変更後の構成情報を、ネットワークを介して接続される１以上の機器に送信する送信部と、
を有することを特徴とする情報処理システム。
【請求項６】
コンピュータが、
ネットワークを介して接続される機器において表示される画面の構成情報を取得する取得手順と、
前記構成情報に基づいて、前記画面を表示する表示手順と、
前記表示手順によって表示された画面に対する操作に応じて、前記構成情報を変更する変更手順と、
変更後の構成情報を、ネットワークを介して接続される１以上の機器に送信する送信手順と、
を実行することを特徴とする情報処理方法。
【請求項７】
前記コンピュータは、前記構成情報を記憶する記憶部を有し、
前記取得手順は、前記記憶部から前記構成情報を取得する、
ことを特徴とする請求項６記載の情報処理方法。
【請求項８】
前記取得手順は、ネットワークを介して接続される機器から前記構成情報を取得する、
ことを特徴とする請求項６記載の情報処理方法。
【請求項９】
前記送信手順は、前記取得手順が前記構成情報を取得した機器とは異なる機器に、前記変更後の構成情報を送信する、
ことを特徴とする請求項８記載の情報処理方法。
【請求項１０】
コンピュータに、
ネットワークを介して接続される機器において表示される画面の構成情報を取得する取得手順と、
前記構成情報に基づいて、前記画面を表示する表示手順と、
前記表示手順によって表示された画面に対する操作に応じて、前記構成情報を変更する変更手順と、
変更後の構成情報を、ネットワークを介して接続される１以上の機器に送信する送信手順と、
を実行させることを特徴とするプログラム。
【請求項１１】
前記コンピュータは、前記構成情報を記憶する記憶部を有し、
前記取得手順は、前記記憶部から前記構成情報を取得する、
ことを特徴とする請求項１０記載のプログラム。
【請求項１２】
前記取得手順は、ネットワークを介して接続される機器から前記構成情報を取得する、
ことを特徴とする請求項１０記載のプログラム。
【請求項１３】
前記送信手順は、前記取得手順が前記構成情報を取得した機器とは異なる機器に、前記変更後の構成情報を送信する、
ことを特徴とする請求項１２記載のプログラム。
【発明の詳細な説明】
【技術分野】
【０００１】
本発明は、情報処理装置、情報処理システム、情報処理方法、及びプログラムに関する。
【背景技術】
【０００２】
画像形成装置等の機器は、多種多様な機能を提供できるようになっている。しかし、全ての機能を利用するユーザは希である。したがって、多くのユーザにとって、機器の操作パネルに表示される画面の表示内容は、複雑なものとなっている。
【０００３】
そこで、従来、画像形成装置の操作パネルを直接操作することで、操作パネルに表示される画面の構成を設定可能とする技術が開示されている（例えば、特許文献１参照）。
【発明の概要】
【発明が解決しようとする課題】
【０００４】
しかしながら、特許文献１に記載された技術では、画面の構成を変更するための操作は、画像形成装置の操作パネルを介して行われる必要が有る。機器の操作パネルは、ＰＣ（Personal Computer）等のキーボードやマウスに比べて操作性が劣る場合が多い。したがって、機器の操作パネルを介した操作は、煩雑となる可能性が高い。
【０００５】
また、特許文献１に記載された技術では、画面の構成を変更するための操作が１台ずつ行われる必要がある。したがって、複数の機器に対して同様の変更を適用したい場合に、同様の操作が繰り返されなければならない。
【０００６】
本発明は、上記の点に鑑みてなされたものであって、機器において表示される画面の構成を変更するための操作の負担を軽減することを目的とする。
【課題を解決するための手段】
【０００７】
そこで上記課題を解決するため、情報処理装置は、ネットワークを介して接続される機器において表示される画面の構成情報を取得する取得部と、前記構成情報に基づいて、前記画面を表示する表示制御部と、前記表示制御部によって表示された画面に対する操作に応じて、前記構成情報を変更する変更部と、変更後の構成情報を、ネットワークを介して接続される１以上の機器に送信する送信部と、を有する。
【発明の効果】
【０００８】
機器において表示される画面の構成を変更するための操作の負担を軽減することができる。
【図面の簡単な説明】
【０００９】
【図１】本発明の実施の形態におけるシステム構成例を示す図である。
【図２】本発明の実施の形態におけるユーザ端末のハードウェア構成例を示す図である。
【図３】本発明の実施の形態における画像形成装置のハードウェア構成例を示す図である。
【図４】本発明の実施の形態におけるユーザ端末及び画像形成装置の機能構成例を示す図である。
【図５】ユーザ端末が実行する処理手順の一例を説明するためのフローチャートである。
【図６】画面構成情報の構成例を示す図である。
【図７】初期画面のレイアウトの一例を示す図である。
【図８】１つのアイコン情報の構成例を示す図である。
【図９】編集画面の表示例を示す図である。
【図１０】変更後の初期画面を含む編集画面の表示例を示す図である。
【発明を実施するための形態】
【００１０】
以下、図面に基づいて本発明の実施の形態を説明する。図１は、本発明の実施の形態におけるシステム構成例を示す図である。図１において、画像形成装置２０ａ及び画像形成装置２０ｂ等、１以上の画像形成装置２０、並びに一以上のユーザ端末１０は、ＬＡＮ（Local Area Network）又はインターネット等のネットワーク（有線又は無線の別は問わない）を介して通信可能に接続されている。
【００１１】
画像形成装置２０は、印刷、スキャン、コピー、及びＦＡＸ送受信等のうちの二以上の機能を一台の筐体によって実現する複合機である。但し、いずれか一つの機能を単体で有する機器が画像形成装置２０として用いられてもよい。
【００１２】
ユーザ端末１０は、画像形成装置２０の操作パネルに表示される画面の構成を変更するために、ユーザによって利用されるコンピュータである。例えば、ＰＣ（Personal Computer）、携帯電話、スマートフォン、タブレット端末、又はＰＤＡ（Personal Digital Assistance）等が、ユーザ端末１０として用いられてもよい。
【００１３】
図２は、本発明の実施の形態におけるユーザ端末のハードウェア構成例を示す図である。図２のユーザ端末１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。
【００１４】
ユーザ端末１０での処理を実現するプログラムは、ＣＤ−ＲＯＭ等の記録媒体１０１によって提供される。プログラムを記憶した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１５】
メモリ装置１０３は、プログラムの起動指示があった場合に、補助記憶装置１０２からプログラムを読み出して格納する。ＣＰＵ１０４は、メモリ装置１０３に格納されたプログラムに従ってユーザ端末１０に係る機能を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等で構成され、様々な操作指示を入力させるために用いられる。
【００１６】
図３は、本発明の実施の形態における画像形成装置のハードウェア構成例を示す図である。図３において、画像形成装置２０は、コントローラ２１、スキャナ２２、プリンタ２３、モデム２４、操作パネル２５、ネットワークインタフェース２６、及びＳＤカードスロット２７等のハードウェアを有する。
【００１７】
コントローラ２１は、ＣＰＵ２１１、ＲＡＭ２１２、ＲＯＭ２１３、ＨＤＤ２１４、及びＮＶＲＡＭ２１５等を有する。ＲＯＭ２１３には、各種のプログラムやプログラムによって利用されるデータ等が記憶されている。ＲＡＭ２１２は、プログラムをロードするための記憶領域や、ロードされたプログラムのワーク領域等として用いられる。ＣＰＵ２１１は、ＲＡＭ２１２にロードされたプログラムを処理することにより、各種の機能を実現する。ＨＤＤ２１４には、プログラムやプログラムが利用する各種のデータ等が記憶される。ＮＶＲＡＭ２１５には、各種の設定情報等が記憶される。
【００１８】
スキャナ２２は、原稿より画像データを読み取るためのハードウェア（画像読取手段）である。プリンタ２３は、印刷データを印刷用紙に印刷するためのハードウェア（印刷手段）である。モデム２４は、電話回線に接続するためのハードウェアであり、ＦＡＸ通信による画像データの送受信を実行するために用いられる。操作パネル２５は、ユーザからの入力の受け付けを行うためのボタン等の入力手段や、液晶パネル等の表示手段等を備えたハードウェアである。液晶パネルは、タッチパネル機能を有していてもよい。この場合、当該液晶パネルは、入力手段の機能をも兼ねる。ネットワークインタフェース２６は、ＬＡＮ等のネットワーク（有線又は無線の別は問わない。）に接続するためのハードウェアである。ＳＤカードスロット２７は、ＳＤカード８０に記憶されたプログラムを読み取るために利用される。すなわち、画像形成装置２０では、ＲＯＭ２１３に記憶されたプログラムだけでなく、ＳＤカード８０に記憶されたプログラムもＲＡＭ２１２にロードされ、実行されうる。なお、他の記録媒体（例えば、ＣＤ−ＲＯＭ又はＵＳＢ（Universal Serial Bus）メモリ等）によってＳＤカード８０が代替されてもよい。すなわち、ＳＤカード８０の位置付けに相当する記録媒体の種類は、所定のものに限定されない。この場合、ＳＤカードスロット２７は、記録媒体の種類に応じたハードウェアによって代替されればよい。
【００１９】
なお、操作パネル２５は、専用の又は汎用的なスマートフォンやタブレット端末等、画像形成装置２０からは独立したＣＰＵ及びＯＳ（Operating System）を有する装置であってもよい。当該ＯＳは、例えば、Ａｎｄｒｏｉｄ（登録商標）等、スマートフォンやダブレット端末等において一般的に利用されているものであってもよい。そうすることで、スマートフォンやタブレット端末等と同様に、表現豊かな画面を表示可能とすることができ、スマートフォンやタブレット端末等と同様の操作感を提供することができる。但し、他の装置によって、操作パネル２５が実現されてもよい。
【００２０】
図４は、本発明の実施の形態におけるユーザ端末及び画像形成装置の機能構成例を示す図である。図４において、画像形成装置２０は、パネル制御部２２１、画面構成読出部２２２、及び画面構成書込部２２３等を有する。これら各部は、画像形成装置２０にインストールされる１以上のプログラムが、ＣＰＵ２１１に実行させる処理により実現される。画像形成装置２０は、また、画面構成記憶部２２４を利用する。画面構成記憶部２２４は、例えば、ＨＤＤ２１４、又は画像形成装置２０にネットワークを介して接続可能な記憶装置等を用いて実現可能である。
【００２１】
パネル制御部２２１は、操作パネル２５への画面の表示を制御する。操作パネル２５に表示される各種の画面のうち、初期画面又はホーム画面（以下、「初期画面」で統一する。）については、画面構成記憶部２２４に記憶されている画面構成情報に基づいて表示が行われる。画面構成情報とは、初期画面の構成を示す情報である。初期画面とは、例えば、画像形成装置２０の操作の起点となる画面である。例えば、初期画面は、画像形成装置２０が操作可能となった際に最初に表示される画面であってもよい。画像形成装置２０が操作可能となった際とは、例えば、画像形成装置２０の起動の完了した際、又は認証が必要とされる場合には、認証の成功した際である。
【００２２】
画面構成読出部２２２は、ユーザ端末１０からの要求に応じ、画面構成記憶部２２４に記憶されている画面構成情報を読み出して、当該画面構成情報をユーザ端末１０に送信する。画面構成書込部２２３は、ユーザ端末１０から送信される画面構成情報を、画面構成記憶部２２４に書き込む。
【００２３】
一方、ユーザ端末１０は、画面構成取得部１１、画面再現部１２、画面構成変更部１３、画面構成送信部１４、及び画面構成保存部１５等を有する。これら各部は、ユーザ端末１０にインストールされる１以上のプログラムが、ＣＰＵ１０４に実行させる処理により実現される。ユーザ端末１０は、また、画面構成記憶部１６を利用する。画面構成記憶部１６は、例えば、補助記憶装置１０２、又はユーザ端末１０にネットワークを介して接続可能な記憶装置等を用いて実現可能である。
【００２４】
画面構成取得部１１は、変更対象又は編集対象とする画面構成情報を、いずれかの画像形成装置２０、又は画面構成記憶部１６から取得する。画面再現部１２は、パネル制御部２２１による、画面構成情報に基づく初期画面の表示処理をエミュレートする。すなわち、画面再現部１２は、画面構成取得部１１によって取得された画面構成情報に基づいて、画像形成装置２０における表示態様と同様の態様で、初期画面を表示する。画面構成変更部１３は、表示された初期画面に対する変更指示に応じて、画面構成情報を変更する。画面構成送信部１４は、変更後の画面構成情報を、指定された画像形成装置２０に送信する。画面構成保存部１５は、変更後の画面構成情報を、画面構成記憶部１６に保存する。
【００２５】
以下、ユーザ端末１０が実行する処理手順について説明する。図５は、ユーザ端末が実行する処理手順の一例を説明するためのフローチャートである。なお、図５の説明において、ユーザは、ユーザ端末１０を操作する。
【００２６】
例えば、ユーザによって、画面構成情報の取得指示が入力されると、画面構成取得部１１は、当該取得指示において指定された画面情報の取得先が画像形成装置２０であるか、又はユーザ端末１０のローカルファイルであるか否かを判定する（Ｓ１０１）。ローカルファイルとは、例えば、画面構成記憶部１６に記憶されているファイルをいう。但し、画面構成情報は、ファイル以外のデータ形式で画面構成記憶部１６に記憶されていてもよい。
【００２７】
取得先が画像形成装置２０である場合（Ｓ１０１でＹｅｓ）、画面構成取得部１１は、取得先の画像形成装置２０のＩＰアドレスの入力をユーザから受け付ける（Ｓ１０２）。例えば、画面構成取得部１１が、ＩＰアドレスの入力用の画面を表示し、当該画面を介してＩＰアドレスの入力が受け付けられてもよい。なお、ＩＰアドレス以外に、ＵＲＬ（Uniform Resource Locator）等、他の識別情報が入力されてもよい。
【００２８】
続いて、画面構成取得部１１は、入力されたＩＰアドレスに係る画像形成装置２０から、当該画像形成装置２０の画面構成記憶部２２４に記憶されている画面構成情報を取得する（Ｓ１０３）。より詳しくは、画面構成取得部１１は、画面構成情報の取得要求を当該画像形成装置２０に送信する。当該画像形成装置２０の画面構成読出部２２２は、当該取得要求に応じ、画面構成記憶部２２４に記憶されている画面構成情報を取得し、取得された画面構成情報を、画面構成取得部１１に返信する。
【００２９】
図６は、画面構成情報の構成例を示す図である。図６では、便宜上、画面構成情報が表形式によって表現されているが、例えば、ＸＭＬ（eXtensible Markup Language）等を利用して画面構成情報が記述されてもよい。
【００３０】
図６において、画面構成情報は、モデル情報、壁紙情報、レイアウト情報、アイコン情報、壁紙データ、及びアイコンデータ等を含む。但し、これら以外の情報が、画面構成情報に含まれてもよい。
【００３１】
モデル情報は、当該画面構成情報を適用可能な（当該画面構成情報が有効な）画像形成装置２０のモデル（機種）に関する情報である。例えば、モデル名等がモデル情報に含まれる。壁紙情報は、初期画面の壁紙（背景）として利用される画像データ（以下、「壁紙データ」という。）を示す情報である。例えば、後述される壁紙データのうちのいずれか一つの壁紙データの識別情報（以下、「壁紙ＩＤ」という。）が、壁紙情報に含まれる。
【００３２】
レイアウト情報は、初期画面における表示部品（以下、「アイコン」とする。）の配置に関する情報である。
【００３３】
アイコン情報は、初期画面に配置されるアイコンごとに、画面構成情報に含まれる。例えば、各アイコン情報には、アイコンの配置位置等を示す情報が含まれる。
【００３４】
壁紙データは、初期画面の壁紙に利用可能な１以上の画像データである。画面構成情報には、１以上の壁紙データのそれぞれが、例えば、エンコードされて列挙されている。各壁紙データには、壁紙ＩＤが対応付けられている。
【００３５】
アイコンデータは、デフォルトとして含まれているアイコンの画像データ（以下、「アイコンデータ」という。）である。画面構成情報には、例えば、画像形成装置２０において標準のアプリケーションプログラムのそれぞれに対するアイコンデータが、例えば、エンコードされて列挙されている。各アイコンデータには、識別情報（以下、「アイコンＩＤ」という。）が対応付けられている。
【００３６】
図６において、レイアウト情報は、列数、行数、Ｘ方向面数、Ｙ方向面数等を含む。列数は、一つの面における水平方向において配置可能なアイコンの数である。行数は、一つの面における垂直方向において配置可能なアイコンの数である。Ｘ方向面数は、水平方向の面数である。Ｙ方向面数は、垂直方向の面数である。ここで、「面」とは、例えば、スワイプ操作やスクロール操作等によって切り替え可能な表示範囲（表示領域）の単位である。図６では、列数＝４，行数＝２、Ｘ方向面数＝１、Ｙ方向面数＝３とされている。この場合、初期画面は、図７に示されるようなレイアウトを有する。
【００３７】
図７は、初期画面のレイアウトの一例を示す図である。図７では、垂直方向に、第１面から第３面の３つの面が示されている。同時に表示可能な範囲は、１つの面である。各面は、２行４列分（８個分）の、アイコンの配置位置を含む。各配置位置は、「＜面番号＞−＜位置番号＞」の形式で表現される座標値を有する。面番号は、各面の識別番号である。位置番号は、面単位の通し番号である。すなわち、図７では、面ごとに８個分の配置位置を含むため、位置番号は、１〜８の値を有する。
【００３８】
また、画面構成情報の一部である各アイコン情報は、例えば、図８に示されるような構成を有する。図８は、１つのアイコン情報の構成例を示す図である。（１）は、アプリケーションプログラムに対応するアイコンのアイコン情報の構成例である。（２）は、ウィジェット（ｗｉｄｇｅｔ）に対応するアイコンのアイコン情報の構成例である。（３）は、ショートカットに対応するアイコンのアイコン情報の構成例である。すなわち、アイコン情報は、アイコンに対応する実体に応じて構成が異なる。但し、（１）〜（３）において、タイプ及び配置位置は、共通項目である。
【００３９】
タイプは、アイコンに対応する実体の種別を示す情報である。例えば、「ａｐｐｌｉｃａｔｉｏｎ」は、アプリケーションプログラムを示す。「ｗｉｄｇｅｔ」は、ウィジェットを示す。「ｕｒｌ」は、ＵＲＬ（Uniform Resource Locator）へのショートカットを示す。配置位置は、図７に示した座標値によって、アイコンの配置位置を示す項目である。（２）では、（１−３，１−７）が配置位置とされている。これは、「１−３」と「１−７」との中央が配置位置であることを示す。また、配置位置には、（１−７，（＋０％，＋３０％））といった指定も可能である。これは、「１−７」の配置位置に対して、ｘ方向に０％のずれを有し、ｙ方向に＋３０％のずれを有する配置位置を示す。また、非表示とされるアイコンの配置位置は、「０−０」とされる。
【００４０】
（１）のアイコン情報は、更に、アイコンＩＤ、アプリケーションＩＤ、及び名前等を含む。アイコンＩＤは、画面構成情報に含まれているいずれかのアイコンデータに対するアイコンＩＤである。すなわち、当該アイコン情報に係るアイコンは、アイコンＩＤに係るアイコンデータによって表示される。アプリケーションＩＤは、このアイコンに対応するアプリケーションプログラムのＩＤであり、画像形成装置２０において、アイコンが操作された際に利用される。名前は、アイコンの表示名である。
【００４１】
（２）のアイコン情報は、更に、アプリケーションＩＤ及びアイコンデータを含む。アプリケーションＩＤは、このアイコンに対応するウィジェットのＩＤである。アイコンデータは、当該アイコン情報に係るアイコンを表示するためのアイコンデータの実体が、例えば、エンコードされたものである。
【００４２】
（３）のアイコン情報は、更に、ｕｒｌ及びアイコンデータを含む。ｕｒｌは、参照先のＵＲＬである。アイコンデータは、当該アイコン情報に係るアイコンを表示するためのアイコンデータの実体が、例えば、エンコードされたものである。
【００４３】
図５のステップＳ１０３では、図６〜図８において説明したような構成を有する画面構成情報が取得される。
【００４４】
一方、取得先がローカルファイルである場合（Ｓ１０１でＮｏ）、画面構成取得部１１は、ファイル名の入力をユーザから受け付ける（Ｓ１０４）。続いて、画面構成取得部１１は、画面構成記憶部１６に記憶されているファイルのうち、入力されたファイル名に係るファイルから画面構成情報を取得する（Ｓ１０５）。ここで取得される画面構成情報も、図６〜図８において説明したような構成を有する。なお、ファイル名ではなく、画像形成装置２０のモデル名（機種名）が入力されてもよい。この場合、当該モデル名に係る画面構成情報が取得されてもよい。
【００４５】
なお、ステップＳ１０４及びＳ１０５は、例えば、画像形成装置２０が納品されていない状態において、納品予定の画像形成装置２０に関して予め画面構成情報をカスタマイズしておきたい場合に便利な処理手順である。又は、ステップＳ１０４及びＳ１０５は、或る画像形成装置２０に関して既にカスタマイズされた画面構成情報を流用して、他の画像形成装置２０に関する画面構成情報を生成する場合にも有効である。
【００４６】
ステップＳ１０３又はＳ１０５に続いて、画面再現部１２は、取得された画面構成情報に基づいて、初期画面を含む編集画面を表示装置１０６に表示する（Ｓ１０６）。
【００４７】
図９は、編集画面の表示例を示す図である。図９において、編集画面５１０は、表示領域５１１及びメニュー領域５１２等を含む。表示領域５１１は、画面構成情報に基づいて、初期画面６１０が再現される領域である。すなわち、表示領域５１１には、画像形成装置２０の操作パネル２５において表示される態様と同じ態様で、初期画面６１０が表示される。メニュー領域５１２は、各種の操作を受け付けるための領域である。
【００４８】
初期画面６１０は、Ｃｏｐｙ、Ｓｃａｎ、Ｆａｘ、Ｄｏｃ、Ａｄｄｒｅｓｓ、Ｃｏｎｆｉｇ、Ｗｅａｔｈｅｒ等の７個のアイコンを含む。画像形成装置２０において初期画面６１０が表示されている状態において、いずれかのアイコンが選択されると、当該アイコンのアイコン情報に含まれているアプリケーションＩＤ又はｕｒｌに対応した処理が実行される。
【００４９】
編集画面５１０を介して、初期画面６１０の構成についての変更指示がユーザによって入力されると（Ｓ１０７でＹｅｓ）、画面構成変更部１３は、変更指示に応じた変更を、画面構成情報に適用する（Ｓ１０８）。例えば、ユーザは、表示領域５１１に表示されている初期画面６１０上のアイコンをドラッグして、アイコンの位置を変更することができる。ドラッグした先に、別のアイコンが有る場合、ドラッグされたアイコンと、当該別のアイコンとの配置位置が入れ替わる。この場合、配置位置が変更されたアイコンのアイコン情報の配置位置の値が変更される。また、いずれかのアイコンが選択された状態でＤｅｌｅｔｅキーが押下されると、画面構成変更部１３は、当該アイコンのアイコン情報の配置位置の値を「０−０」に変更する。
【００５０】
また、いずれかのアイコンに対して右クリックが行われると、画面構成変更部１３は、「アイコンの変更」及び「名前の変更」等のメニュー項目を含むコンテキストメニューを表示する。当該コンテキストメニューにおいて、「アイコンの変更」が選択されると、アイコンデータの変更が可能となる。例えば、ユーザ端末１０の補助記憶装置１０２に記憶されているアイコンデータを、画面構成情報のアイコンデータとして追加することができる。追加されたアイコンデータを、右クリックされているアイコンに対するアイコンデータとすることができる。
【００５１】
また、「名前の変更」が選択されると、アイコン情報の名前の変更が可能となる。なお、「アイコンの設定を元に戻す」というメニュー項目がコンテキストメニューに含まれてもよい。当該メニュー項目が選択された場合、画面構成変更部１３は、アイコンデータの変更や、名前の変更等を元に戻してもよい。
【００５２】
また、メニュー領域５１２が操作されることにより、画面構成変更部１３は、画面構成情報に含まれている壁紙データの一覧を、メニュー領域５１２に表示する。当該一覧の中からいずれかの壁紙データが選択されると、選択された壁紙データの壁紙ＩＤが、画面構成情報の壁紙情報に対して上書きされる。その結果、初期画面６１０の壁紙が変更される。また、ユーザ端末１０の補助記憶装置１０２に記憶されている画像データが、画面構成情報の壁紙データに追加されてもよい。そうすることで、補助記憶装置１０２に記憶されている画像データを、初期画面６１０の壁紙データとして利用することができる。
【００５３】
以上のような変更（編集）が行われることで、例えば、初期画面６１０は、図１０に示されるように変更される。図１０は、変更後の初期画面を含む編集画面の表示例を示す図である。
【００５４】
図１０の編集画面５１０の表示領域５１１には、変更後の初期画面６１０ａが示されている。初期画面６１０ａでは、アイコンの配置位置の変更、アイコンデータの変更、壁紙の変更等が行われている。具体的には、"Ｆａｘ"及び"Ｄｏｃ"のアイコンのアイコンデータが変更され、Ｃｏｎｆｉｇのアイコンが削除されている。"Ｄｏｃ"のアイコンについては、名前も変更されている。また、"Ｗｅａｔｈｅｒ"のアイコンは大きさも変更されている。
【００５５】
続いて、変更の終了が指示され（Ｓ１０７でＮｏ）、変更後の画面構成情報に関して送信先のＩＰアドレスが入力されると（Ｓ１０９でＹｅｓ）、画面構成送信部１４は、入力されたＩＰアドレスに係る画像形成装置２０に、変更後の画面構成情報を送信する（Ｓ１１０）。当該画像形成装置２０の画面構成書込部２２３は、当該画面構成情報を受信すると、画面構成記憶部２２４に当該画面構成情報を記憶する。この際、元の画面構成情報は、受信された画面構成情報によって上書きされてもよい。
【００５６】
なお、ステップＳ１１０は、複数回繰り返されてもよい。すなわち、同一の画面構成情報が、複数の画像形成装置２０に適用されてもよい。
【００５７】
ＩＰアドレスの入力が終了し（Ｓ１０９でＮｏ）、画面構成情報の保存指示が入力されると（Ｓ１１１でＹｅｓ）、画面構成保存部１５は、変更後の画面構成情報を、画面構成記憶部１６に記憶する（Ｓ１１２）。例えば、ステップＳ１０４及びＳ１０５が実行されて、変更対象の画面構成情報が画面構成記憶部１６から取得されたものである場合には、上書き保存が指示されてもよい。この場合、画面構成保存部１５は、変更後の画面構成情報によって、元の画面構成情報を上書きする。また、名前を付与して保存する場合には、画面構成保存部１５は、ユーザによって入力された名前に対応付けて、変更後の画面構成情報を画面構成記憶部１６に記憶する。画面構成記憶部１６に記憶された画面構成情報は、次回のステップＳ１０４及びＳ１０５において、選択候補となる。また、画面構成記憶部１６に記憶された画面構成情報に基づいて、別の画像形成装置２０に対する画面構成情報が生成されてもよい。
【００５８】
なお、初期画面の構成をユーザごとに異なるものとしたい場合、画面構成情報は、ユーザごとの識別情報（例えば、ユーザＩＤ）に対応付けられて、画面構成記憶部２２４又は画面構成記憶部１６に記憶されるようにしてもよい。例えば、ユーザＩＤが、画面構成情報に含まれるようにしてもよい。この場合、図５の処理の開始時において、画面構成情報の取得先と共に、ユーザＩＤが指定されてもよい。画面構成取得部１１は、指定されたユーザＩＤに対応する画面構成情報を取得してもよい。
【００５９】
上述したように、本実施の形態によれば、ユーザは、ユーザ端末１０を利用して、初期画面の画面構成情報を変更することができる。変更後の画面構成情報は、元の画面構成情報の取得先の画像形成装置２０のみならず、他の画像形成装置２０にも送信して適用することができる。すなわち、１つの画面構成情報の変更によって、複数の画像形成装置２０の初期画面の構成を変更することができる。したがって、画像形成装置２０において表示される画面の構成を変更するための操作の負担を軽減することができる。
【００６０】
なお、本実施の形態は、画像形成装置２０以外の機器において表示される画面に関して適用されてもよい。例えば、プロジェクタ、テレビ会議システム、デジタルカメラ等に関して本実施の形態が適用されてもよい。
【００６１】
なお、本実施の形態において、ユーザ端末１０は、情報処理装置の一例である。画面構成取得部１１は、取得部の一例である。画面再現部１２は、表示制御部の一例である。画面構成変更部１３は、変更部の一例である。画面構成送信部１４は、送信部の一例である。
【００６２】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００６３】
１０          ユーザ端末
１１          画面構成取得部
１２          画面再現部
１３          画面構成変更部
１４          画面構成送信部
１５          画面構成保存部
１６          画面構成記憶部
２０          画像形成装置
２１          コントローラ
２２          スキャナ
２３          プリンタ
２４          モデム
２５          操作パネル
２６          ネットワークインタフェース
２７          ＳＤカードスロット
８０          ＳＤカード
１００        ドライブ装置
１０１        記録媒体
１０２        補助記憶装置
１０３        メモリ装置
１０４        ＣＰＵ
１０５        インタフェース装置
１０６        表示装置
１０７        入力装置
２１１        ＣＰＵ
２１２        ＲＡＭ
２１３        ＲＯＭ
２１４        ＨＤＤ
２１５        ＮＶＲＡＭ
２２１        パネル制御部
２２２        画面構成読出部
２２３        画面構成書込部
２２４        画面構成記憶部
Ｂ            バス
【先行技術文献】
【特許文献】
【００６４】
【特許文献１】特開２０１１‐１４２６４０号公報
【図１】
2016157156.tif 000003
【図２】
2016157156.tif 000004
【図３】
2016157156.tif 000005
【図４】
2016157156.tif 000006
【図５】
2016157156.tif 000007
【図６】
2016157156.tif 000008
【図７】
2016157156.tif 000009
【図８】
2016157156.tif 000010
【図９】
2016157156.tif 000011
【図１０】
2016157156.tif 000012